(57)【要約】【課題】本発明は、各種様々な警告表示機能を同時に達成することが可能な安全な車のライトの制御構造を提供する。【解決手段】制御装置を複数の警告表示ランプに電気的に接続してなる。前記制御装置は、ケースと、スライドブロックと、切換バーと、を備える。前記ケースには、スライド溝が形成され、前記ケース内には、モード装置が設けられ、前記スライドブロックは、前記スライド溝内に可動に設けられ、前記切換バーは、前記スライドブロックに枢接される。前記切換バーにおける枢設箇所から離れた側には、少なくとも一つの機能切換部材及び少なくとも一つの警告装置が設けられる。それにより、前記切換バー、前記スライドブロック、前記機能切換部材、前記警告装置は、それぞれ前記モード装置と一緒に作動して各種様々な異なる警告表示効果を生じる【選択図】図１
2014118060.tif 000002
【特許請求の範囲】
【請求項１】
制御装置を複数の警告表示ランプに電気的に接続してなる安全な車のライトの制御構造であって、
前記制御装置は、ケースと、スライドブロックと、切換バーと、を備え、
前記ケースには、スライド溝が形成され、前記ケース内には、モード装置が設けられ、
前記スライドブロックは、前記スライド溝内に可動に設けられ、
前記切換バーは、前記スライドブロックに枢接され、
前記切換バーにおける枢設箇所から離れた側には、少なくとも一つの機能切換部材及び少なくとも一つの警告装置が設けられ、
それにより、前記切換バー、前記スライドブロック、前記機能切換部材、前記警告装置は、それぞれ前記モード装置と一緒に作動して各種様々な異なる警告表示効果を生じることを特徴とする、安全な車のライトの制御構造。
【請求項２】
前記スライドブロックは、前記モード装置内に設けられた警告表示点滅モジュールに電気的に接続され、前記スライドブロック及び前記切換バーは、一緒に作動するとともに、前記モード装置内に設けられた方向切換モジュール及び警告表示方向切換モジュールにそれぞれ電気的に接続されることを特徴とする、請求項１に記載の安全な車のライトの制御構造。
【請求項３】
前記モード装置は、それぞれ、複数の導通装置を介して一緒に作動し、前記モード装置は、前記警告表示ランプに電気的に接続され、前記機能切換部材は、車接近危険警告表示切換器、或いは、遠近ライト切換器、或いは、ワイパー操作制御器であり、前記機能切換部材は、前記モード装置内に設けられた車接近危険警告表示モジュール、或いは、遠近ライト調節モジュール、或いは、ワイパー操作制御モジュールに電気的に接続され、
前記ワイパー操作制御モジュールは、少なくとも一つのワイパー及び少なくとも一つのウォッシャーに電気的に接続されることを特徴とする、請求項１に記載の安全な車のライトの制御構造。
【請求項４】
前記警告装置は、車両周辺障害警告表示器であり、前記警告装置は、前記モード装置内に設けられた車両周辺障害警告表示モジュールに電気的に接続されることを特徴とする、請求項１に記載の安全な車のライトの制御構造。
【発明の詳細な説明】
【技術分野】
【０００１】
本発明は車のライトの制御装置に関し、特に切換バー及びスライドブロックによって各種様々な警告表示機能を同時に達成することが可能な安全な車のライトの制御構造に関する。
【背景技術】
【０００２】
一般的な自動車等の乗り物には、曲がる方向を示す或いは注意を引くための効果をもつ警告表示ランプが設けられている。しかしながら、一般的に市場にある警告表示の設計は、方向指示モードのオンオフと注意モードのオンオフが具備されているが、方向指示と警告表示の点滅が同時に起動した場合、警告表示点滅が優先されるように設定されているため、自動車などの乗り物の注意モードがオンになっている時、後方の車は前方の車の動向を判別することができず非常に危険である。本発明の発明者は、この問題を改善するため、方向を切り換える時に、警告表示ランプに切換方向モードを表示させることに成功した。これにより、過去の欠点を改善することができたため、発明当時、好評を得ることができた。しかしながら、発明者の尽きることのない探求心から研究をつづけた結果、上述した従来の車のライト制御構造は、使用する際、切換構造が複雑である上、機能を統合できないという問題があることを発見した。
【発明の概要】
【発明が解決しようとする課題】
【０００３】
本発明は、従来の車のライト制御装置がかかえていた、切換構造が複雑である上、機能を統合できないという問題を解決し、切換バー及び機能切換部材及び警告装置によって各種様々な警告表示機能を同時に達成することが可能な安全な車のライトの制御構造を提供することを目的とする。
【課題を解決するための手段】
【０００４】
上述した目的を達成するために、本発明による安全な車のライトの制御構造は、制御装置を複数の警告表示ランプに電気的に接続してなる。制御装置は、ケースと、スライドブロックと、切換バーと、を備える。ケースには、スライド溝が形成され、ケース内にはモード装置が設けられ、モード装置は、前記警告表示ランプに電気的に接続され、スライド溝内には、スライドブロックが可動に設けられ、切換バーは、スライドブロックに枢設される。また、切換バーにおける枢設箇所から離れた側には、少なくとも一つの機能切換部材及び少なくとも一つの警告装置が設けられ、それにより、切換バーと、スライドブロックと、機能切換部材と、警告装置が、それぞれ、モード装置と一緒に作動し、様々な異なる警告表示ランプ效果を生じさせることができる。スライドブロックは、モード装置内に設けられた警告表示点滅モジュールに電気的に接続され、スライドブロック及び切換バーは、一緒に作動するとともに、モード装置内に設けられた方向切換モジュール及び警告表示方向切換モジュールにそれぞれ電気的に接続される。また、機能切換部材は、車接近危険警告表示切換器、或いは、遠近ライト切換器、或いは、ワイパー操作制御器であり、機能切換部材は、モード装置内に設けられた車接近危険警告表示モジュール、遠近ライト調節モジュール、ワイパー操作制御モジュールにそれぞれ電気的に接続され、警告装置は、車両周辺障害警告表示器であり、警告装置は、モード装置内に設けられた車両周辺障害警告表示モジュールに電気的に接続される。
【発明の効果】
【０００５】
以上の構造により、スライドブロック、切換バーを動かすことで、警告装置及び機能切換部材間の切換を作動させ、対応する車接近危険警告表示モジュール、遠近ライト調節モジュール、ワイパー操作制御モジュール、方向切換モジュール、警告表示方向切換モジュール、及び車両周辺障害警告表示モジュールを電気的に導通させて、各種様々な警告表示機能を達成することができる。
【図面の簡単な説明】
【０００６】
【図１】本発明の好ましい実施例の実施を示した概略図である。
【図２】本発明の好ましい実施例の一部を拡大した概略図である。
【図３】本発明の好ましい実施例の警告表示点滅動作を示した説明図である。
【図３Ａ】本発明の好ましい実施例の警告表示点滅の導通装置を示した説明図である。
【図４】本発明の好ましい実施例の左折ウインカーの動作を示した説明図である。
【図４Ａ】本発明の好ましい実施例の左折の導通装置を示した説明図である。
【図５】本発明の好ましい実施例の右折ウインカーの動作を示した説明図である。
【図５Ａ】本発明の好ましい実施例の右折の導通装置を示した説明図である。
【図６】本発明の好ましい実施例の左折と警告表示ランプを結合させた動作を示した説明図である。
【図６Ａ】本発明の好ましい実施例の左折を警告表示に結合させた導通装置を示した説明図である。
【図７】本発明の好ましい実施例の右折と警告表示ランプを結合させた動作を示した説明図である。
【図７Ａ】本発明の好ましい実施例の右折を警告表示に結合させた導通装置を示した説明図である。
【図８】本発明の好ましい実施例の遠ランプの動作を示した説明図である。
【図８Ａ】本発明の好ましい実施例の遠ランプを押す動作を示した説明図である。
【図９】本発明の好ましい実施例の近ランプの動作を示した説明図である。
【図９Ａ】本発明の好ましい実施例の近ランプを押す動作を示した説明図である。
【図１０】本発明の好ましい実施例の車接近危険警告表示の一つ目の動作を示した説明図である。
【図１０Ａ】本発明の好ましい実施例の車接近危険警告表示を第一段階に押した動作を示した説明図である。
【図１１】本発明の好ましい実施例の車接近危険警告表示の二つ目の動作を示した説明図である。
【図１１Ａ】本発明の好ましい実施例の車接近危険警告表示を第二段階に押した動作を示した説明図である。
【図１２】本発明の好ましい実施例のワイパーの動作を示した説明図である。
【図１２Ａ】本発明の好ましい実施例のワイパーの操作の動作を示した説明図である。
【図１３】本発明の好ましい実施例の周辺障害の警告表示の動作を示した説明図である。
【図１４】本発明の別の好ましい実施例のオートバイの実施例を示した説明図である。
【図１４Ａ】本発明の別の好ましい実施例の拡大図である。
【発明を実施するための形態】
【０００７】
図１と図２を参照する。図１は、本発明の好ましい実施例の実施を示した概略図であり、図２は、本発明の好ましい実施例の一部を拡大した概略図である。図から分かるように、本発明による安全な車のライトの制御構造は、制御装置１に複数の警告表示ランプ３を電気的に接続してなる。制御装置１は、ケース１１と、スライドブロック１３と、切換バー１４とからなる。ケース１１には、スライド溝１２が形成され、ケース１１内にはモード装置２が設けられる。モード装置２は、警告表示ランプ３に電気的に接続され、スライド溝１２内には、スライドブロック１３が可動に設けられ、切換バー１４はスライドブロック１３に枢設される。また、切換バー１４における枢設箇所から離れた側には、少なくとも一つの機能切換部材１４１及び少なくとも一つの警告装置１４２が設けられる。機能切換部材１４１は、車接近危険警告表示切換器であり、機能切換部材１４１は、モード装置２内に設けられた車接近危険警告表示モジュール２４に電気的に接続される。若しくは、機能切換部材１４１は、遠近ライト切換器であり、機能切換部材１４１は、モード装置２内に設けられた遠近ライト調節モジュール２５に電気的に接続される。または、機能切換部材１４１はワイパー操作制御器であり、機能切換部材１４１は、モード装置２内に設けられたワイパー操作制御モジュール２７に電気的に接続され、ワイパー操作制御モジュール２７は、少なくとも一つのワイパー４及少なくとも一つのウォッシャー５に電気的に接続される。また、警告装置１４２は車両周辺障害警告表示器であり、警告装置１４２は、モード装置２内に設けられた車両周辺障害警告表示モジュール２６に電気的に接続される。以上の構造により、切換バー１４と、スライドブロック１３と、機能切換部材１４１と、警告装置１４２は、それぞれ、モード装置２と一緒に作動し、それにより、様々な異なる警告表示ランプ３效果が生じる。なお、スライドブロック１３は、モード装置２内に設けられた警告表示点滅モジュール２１に電気的に接続され、スライドブロック１３及び切換バー１４は、一緒に作動するとともに、モード装置２内に設けられた方向切換モジュール２２及び警告表示方向切換モジュール２３にそれぞれ電気的に接続される。モード装置２の方向切換モジュール２２及び警告表示方向切換モジュール２３は、それぞれ、複数の導通装置２８を介して一緒に作動する。
【０００８】
上述の構造、組み合わせによる本発明を使用した際の作動状況について以下に説明を行う。図１から図７Ａを同時に参照する。図１は、本発明の好ましい実施例の実施を示した概略図であり、図２は、本発明の好ましい実施例の一部を拡大した概略図であり、図３は、本発明の好ましい実施例の警告表示点滅動作を示した説明図であり、図３Ａは、本発明の好ましい実施例の警告表示点滅の導通装置を示した説明図であり、図４は、本発明の好ましい実施例の左折ウインカーの動作を示した説明図であり、図４Ａは、本発明の好ましい実施例の左折の導通装置を示した説明図であり、図５は、本発明の好ましい実施例の右折ウインカーの動作を示した説明図であり、図５Ａは、本発明の好ましい実施例の右折の導通装置を示した説明図であり、図６は、本発明の好ましい実施例の左折と警告表示ランプを結合させた動作を示した説明図であり、図６Ａは、本発明の好ましい実施例の左折を警告表示に結合させた導通装置を示した説明図であり、図７は、本発明の好ましい実施例の右折と警告表示ランプを結合させた動作を示した説明図であり、図７Ａは、本発明の好ましい実施例の右折を警告表示に結合させた導通装置を示した説明図である。図から分かるように、正常な運転時に、左折或いは右折する必要があるときは、切換バー１４を動かすだけで、方向切換モジュール２２が電気的に導通し、左方の警告表示ランプ３を点滅或いは右方の警告表示ランプ３を点滅させることができる。また、スライドブロック１３を押して警告表示点滅效果をオンにした時、警告表示点滅モジュール２１が電気的に導通して、両側の警告表示ランプ３を同時に点滅させることができる。なお、この時、切換バー１４を動かして導通装置２８に対応させ、警告表示方向切換モジュール２３を電気的に導通させると、左方の警告表示ランプ３の点滅或いは右方の警告表示ランプ３の点滅効果が生じ、警告表示点滅效果及び方向指示效果を両方同時に備えさせることができる。
【０００９】
図８から図９Ａを参照する。図８は、本発明の好ましい実施例の遠ランプの動作を示した説明図であり、図８Ａは、本発明の好ましい実施例の遠ランプを押す動作を示した説明図であり、図９は、本発明の好ましい実施例の近ランプの動作を示した説明図であり、図９Ａは、本発明の好ましい実施例の近ランプを押す動作を示した説明図である。図から分かるように、遠近ライト切換器の機能切換部材１４１のスイッチを入れた時、遠近ライト調節モジュール２５に、遠近ライトの切換効果が生じる。
【００１０】
図１０から図１１Ａを同時に参照する。図１０は、本発明の好ましい実施例の車接近危険警告表示の一つ目の動作を示した説明図であり、図１０Ａは、本発明の好ましい実施例の車接近危険警告表示を第一段階に押した動作を示した説明図であり、図１１は、本発明の好ましい実施例の車接近危険警告表示の二つ目の動作を示した説明図であり、図１１Ａは、本発明の好ましい実施例の車接近危険警告表示を第二段階に押した動作を示した説明図である。図から分かるように、車接近危険警告表示切換器の機能切換部材１４１を押すと、車接近危険警告表示モジュール２４、は電気的に導通し、別の特殊な警告表示ランプ３に遠近点滅状態が生じ、自分の車の後方から別の車が接近してきている危険を警告表示することができる。なお、この別の特殊な警告表示ランプ３は、上向き４５度に照射するＨＩＤランプである。
【００１１】
図１２と図１２Ａを同時に参照する。図１２は、本発明の好ましい実施例のワイパーの動作を示した説明図であり、図１２Ａは、本発明の好ましい実施例のワイパーの操作の動作を示した説明図である。図から分かるように、ワイパー操作制御器の機能切換部材１４１を直接操作することにより、ワイパー操作制御モジュール２７が電気的に導通してワイパー４と少なくとも一つのウォッシャー５を作動させることができる。
【００１２】
図１３を参照する。図１３は、本発明の好ましい実施例の周辺障害の警告表示の動作を示した説明図である。図から分かるように、車両周辺障害警告表示モジュール２６は、車両の周辺視野の見えない障害物（例えば、小動物や子供等）を検知して、車両周辺障害警告表示モジュール２６が警告装置１４２を電気的に導通させ、それにより、警告装置１４２に点滅及び音声等の警告効果が生じ、運転者及び外側の人或いは動物に注意を喚起することができる。
【００１３】
図１４と図１４Ａを参照する。図１４は、本発明の別の好ましい実施例のオートバイの実施例を示した説明図であり、図１４Ａは、本発明の別の好ましい実施例の拡大図である。図から分かるように、オートバイにこの装置を設け、切換バー１４ａ及びスライドブロック１３ａを、警告表示点滅モジュール２１ａ、方向切換モジュール２２ａ、警告表示方向切換モジュール２３ａの導通装置２８ａに対応させることで、警告表示ランプ３ａのスイッチをオンにすることができると同時に、方向切換を表示することができる。
【００１４】
全ての図を参照する。本発明を使用すると、従来の技術を使用した場合と比較し、以下の利点が生じる。スライドブロック１３、切換バー１４を動かすことによって、警告装置１４２及び機能切換部材１４１間の切換を作動させて、対応する車接近危険警告表示モジュール２４、遠近ライト調節モジュール２５、ワイパー操作制御モジュール２７、方向切換モジュール２２、警告表示方向切換モジュール２３、及び車両周辺障害警告表示モジュール２６を電気的に導通させることで、様々な異なる警告表示機能・効果を達成できるという利点がある。
【符号の説明】
【００１５】
１              制御装置
１１            ケース
１２            スライド溝
１３、１３ａ    スライドブロック
１４、１４ａ    切換バー
１４１          機能切換部材
１４２          警告装置
２              モード装置
２１、２１ａ    警告表示点滅モジュール
２２、２２ａ    方向切換モジュール
２３、２３ａ    警告表示方向切換モジュール
２４            車接近危険警告表示モジュール
２５            遠近ライト調節モジュール
２６            車両周辺障害警告表示モジュール
２７            ワイパー操作制御モジュール
２８、２８ａ    導通装置
３、３ａ        警告表示ランプ
４              ワイパー
５              ウォッシャー
【図１】
2014118060.tif 000003
【図２】
2014118060.tif 000004
【図３】
2014118060.tif 000005
【図３Ａ】
2014118060.tif 000006
【図４】
2014118060.tif 000007
【図４Ａ】
2014118060.tif 000008
【図５】
2014118060.tif 000009
【図５Ａ】
2014118060.tif 000010
【図６】
2014118060.tif 000011
【図６Ａ】
2014118060.tif 000012
【図７】
2014118060.tif 000013
【図７Ａ】
2014118060.tif 000014
【図８】
2014118060.tif 000015
【図８Ａ】
2014118060.tif 000016
【図９】
2014118060.tif 000017
【図９Ａ】
2014118060.tif 000018
【図１０】
2014118060.tif 000019
【図１０Ａ】
2014118060.tif 000020
【図１１】
2014118060.tif 000021
【図１１Ａ】
2014118060.tif 000022
【図１２】
2014118060.tif 000023
【図１２Ａ】
2014118060.tif 000024
【図１３】
2014118060.tif 000025
【図１４】
2014118060.tif 000026
【図１４Ａ】
2014118060.tif 000027